【事件の表示】
　特許第２９２５０１３号「インクジェットプリンター」の請求項１〜５に係る特許に対する特許異議の申立てについて、次のとおり決定する。
【結　論】
　訂正を認める。
　特許第２９２５０１３号の請求項１〜３に係る特許を維持する。
【理　由】
　１．手続の経緯
　本件特許第２９２５０１３号の発明は、平成１０年４月１０日に出願され、平成１１年５月７日に設定登録（請求項の数５）されたものであるが、特許異議の申立てに基いて特許の取消理由を通知したところ、明細書の訂正請求がなされたものである。
　２．訂正の適否について
（１）請求された訂正の内容は、次の（ａ）〜（ｈ）からなるものである。
（ａ）特許請求の範囲請求項１における「印字面平面形成手段」を「下記印字面平面形成手段」と訂正し、末尾に「印字面平面形成手段：複数のアングル部材、複数の高さ調整部材及び該高さ調整部材の間に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調整部材と接触することにより曲げられ、前記高さ調整部材間で前記スペーサーの距離分だけ被記録材又は／及びキャリヤーの全幅にわたって平面を形成するようになした装置。」を挿入する。
（ｂ）同請求項２における「特徴とするインクジェットプリンター。」を「特徴とする請求項１に記載のインクジェットプリンター。」と訂正する。
（ｃ）同請求項４、５を削除する。
（ｄ）発明の詳細な説明段落番号［０００６］における「印字面平面形成手段」を「下記印字面平面形成手段」と訂正し、末尾に「印字面平面形成手段：複数のアングル部材、複数の高さ調整部材及び該高さ調整部材の間に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調整部材と接触することにより曲げられ、前記高さ調整部材間で前記スペーサーの距離分だけ被記録材又は／及びキャリヤーの全幅にわたって平面を形成するようになした装置。」を挿入する。
（ｅ）同［０００７］における「特徴とするインクジェットプリンター。」を「特徴とする請求項１インクジェットプリンター。」と訂正する。
（ｆ）同［０００９］の「請求項４の発明は、・・・請求項２または３に記載のインクジェットプリンターである。」を「また、本発明は、・・・ことが好ましい。」と訂正する。
（ｇ）同［００１０］の「請求項５の発明は、・・・請求項１〜４のいずれかに記載のインクジェットプリンターである。」を「さらに、本発明は、・・・ことが好ましい。」と訂正する。
（ｈ）同［００１２］の「・・・ものであり、例えば図３に示すようなものである。」を「・・・ものであり、下記にに示すものである。
　印字面平面形成手段：複数のアングル部材、複数の高さ調整部材及び該高さ調整部材の間に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調整部材と接触することにより曲げられ、前記高さ調整部材間で前記スペーサーの距離分だけ被記録材又は／及びキャリヤーの全幅にわたって平面を形成するようになした装置。」と訂正する。
（２）（ａ）〜（ｃ）の訂正は、特許請求の範囲の減縮を目的とするものに該当し、（ｄ）〜（ｈ）の訂正は、前記（ａ）〜（ｃ）の訂正に整合させたものであるから、明りょうでない記載の釈明を目的とするものに該当する。
　そして、これらの訂正は、いずれも願書に添付した明細書又は図面に記載した事項の範囲内においてされたものであり、実質上特許請求の範囲を拡張し、又は変更するものでもない。
　したがって、上記訂正請求は、特許法第１２０条の４第２項及び同条第３項で準用する同法第１２６条第２〜４項の規定に適合するので、当該訂正を認める。
　３．特許異議の申立てについて
（１）本件特許発明は、訂正された明細書の特許請求の範囲請求項１〜３に記載されたとおりのものと認める。
（２）特許異議申立人東レ株式会社（以下、申立人東レという。）は、甲第１号証（特開平４−３２７２６２号公報）及び甲第２号証（特開平７−２１４７６８号公報）を提出し、特許異議申立人渡辺等（以下、申立人渡辺という。）は、甲第１号証（特開平９−２５４３７０号公報）及び甲第２号証〔実願平４−１３７４９号（実開平５−６３８３９号）のマイクロフィルム　〕を提出して、請求項１〜３に係る特許は、特許法第２９条第１、２項の規定に違反してされたものであると主張し、特許異議申立人キャノン株式会社（以下、申立人キャノンという。）は、甲第１号証（特開平８−１５６３５３号公報）及び甲第２号証（特開平５−２１２８５１号公報）を提出して、請求項１〜５に係る特許は、特許法第第２９条第１、２項の規定に違反してされたものであると主張している。
　また、申立人渡辺及び申立人キャノンは、請求項４、５に係る特許は、特許法第３６条に規定する要件を満たしていない特許出願に対してされたものであるとも主張している。
（３）申立人東レの甲第１号証には、表面が粘着性をもった無端ベルトを有するとともに前記無端ベルトを巻き掛けた少なくとも２以上の支持ローラを有しかつ前記無端ベルトを回動する駆動装置を有する搬送手段と、連続シート状物を前記無端ベルトに圧接して前記連続シート状物を前記無端ベルトに粘着する圧接ローラと、前記支持ロ−ラの間に配置されて前記無端ベルトに粘着された前記連続シート状物の表面に対向するインクジェット記録ヘッドと、前記連続シート状物および前記無端ベルトを介して前記インクジェット記録ヘッドに対向する位置で前記無端ベルトに当接する当接部を有するとともに前記当接部を保持して前記インクジェット記録ヘッドに対して進退する方向に移動可能な移動部を有する調整手段と、前記インクジェット記録ヘッドを通過した前記連続シート状物を前記無端ベルトから剥離して回収する回収手段とを備えた連続シート状物捺染装置（特許請求の範囲請求項１）が記載され、実施例を示す図１〜４及び「実施例の当接部２１は、搬送方向の幅を同方向におけるインクジェット記録ヘッドの幅以上としており、これによりインクジェット記録ヘッド３のインク滴が吹き付けられる面の平面度を確保している。」（段落番号００１８）の記載がなされ、
同甲第２号証には、画像形成装置の発明（特許請求の範囲参照）が記載され、図１及び「搬送部１００は、・・・搬送ローラ１１０および１２０と、それらローラ間に巻回された無端ベルト形態の搬送ベルト１３０と、プリンタ部１０００によるプリントに際し布帛の被プリント面を平坦に規制するべく搬送ベルト１３０を所定範囲適切な張力で展張し、平坦性を向上すべく設けた一対のプラテンローラ１４０とを有している。ここで、搬送ベルト１３０は、・・・その表面には粘着層（シート）１３３が設けられている。そして、布帛１は貼付けローラ１５０によって粘着層１３３によって搬送ベルト１３０に接着され、プリント時の平坦性が確保される。」（段落番号００２７）の記載がなされ、
　申立人渡辺の甲第１号証には、インクジェット布帛捺染装置の発明（特許請求の範囲参照）が記載され、図５及び「図５に、本発明の実施の形態の他の例の装置の基本的な構成を示す。図５に示す装置は、布抑え機構を用いないでもプリンタヘド６０の下での布帛１１の平面性を維持できるようにしたものである。・・・。ローラ３２と３３により形成される布帛搬送面とそれに隣接する布帛搬送面、つまりローラ３３と３４で形成される布帛搬送面およびローラ３２と３１で形成される布帛搬送面が５°〜１６°の範囲の角度θをなすように各ローラは配置されている。・・・。このため、ローラ３２と３３の間の水平部分では布帛１１の平面性が良くなる。したがって、この部分の上部に置かれたプリンタヘッド６０と布帛１１の表面との距離が正確に保たれる。」（段落番号００５６〜００６１）の記載がなされ、
同甲第２号証には、インクジェット捺染装置のインクノズル走行軸芯出し治具の考案（実用新案登録請求の範囲参照）が記載され、被記録材である布帛１がロール７から巻き出され、途中でエンドレスベルト２と張り付けローラ９により重ね合わされた後にインクヘッド１２により捺染記録が行われ、その後、エンドレスベルト２から剥がされる構成の記載（図１及び段落番号０００７、０００８参照）がなされ、
　申立人キャノンの甲第１号証には、布帛などのプリント媒体にインクジェットヘッドを用いてプリントを行うプリント装置の発明（特許請求の範囲請求項１、４、１０参照）が記載され、図１、２及び「プリンタ部１０００によるプリントに際し布帛の被プリント面を平坦に規制するべく搬送ベルト１３０を所定適切な張力で展張し、平坦性を向上すべく設けた複数のプラテンローラ１４０とを有している。・・・、布帛は貼付けローラ１５０によって粘着層１３３によって搬送ベルト１３０に接着され、プリント時の平坦性が確保される。」（第４頁左欄第３４〜４３行）の記載、図１４及び「プラテンローラ１４０Ｕおよびプラテンローラ１４０Ｌは、それぞれ３本が搬送ローラ１１０および１２０と平行となるように互いに対面する一対の支持板２０１に回転自在に取り付けられている。特に、３本のプラテンローラ１４０Ｕは、該プラテンローラ１４０Ｕで案内されるベルト１３０のプリント媒体搬送面がプリント領域として好適であるような極めて平らな面となるように支持板２０１に取り付けられている。」（第６頁左欄第２３〜３０行）の記載がなされ、
同甲第２号証には、インクノズル、スクリーンなどの捺染機構によって布帛を捺染する捺染装置の発明（特許請求の範囲参照）が記載され、図１、２及び「駆動モータ８および駆動ローラ５によってエンドレスベルト３が間欠駆動され、被動ローラ６はそれに従って回転する。また、張り付けローラ１５がレバー１６に支持され、レバー１６がエアシリンダ１７に連結されており、エアシリンダ１７によってレバー１６が操作され、揺動し、エンドレスベルト３上において、張り付けローラ１５が布帛１０に押し付けられる。」（第２頁右欄第３４〜４０行）の記載がなされていることが認められる。
（４）請求項１に係る発明と前記各特許異議申立人の甲号証記載のものとを対比すると、両者は、被記録材である布帛の印字面を平面にする印字面平面形成手段を備えたインクジェットプリンターである点で共通するが、同甲号証には、請求項１に係る発明の構成要件である「複数のアングル部材、複数の高さ調整部材及び該高さ調整部材の間に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調整部材と接触することにより曲げられ、前記高さ調整部材間で前記スペーサーの距離分だけ被記録材又は／及びキャリヤーの全幅にわたって平面を形成するようになした装置」を印字面平面形成手段とすることの記載、又はこれを示唆する記載はなされていないものと認められる。
　そして、請求項１に係る発明は、前記事項を構成要件とすることにより明細書に記載されたとおりの効果を奏し得たものと認められるから、請求項１に係る発明は、前記各特許異議申立人の甲号証に記載された発明であるとも、同甲号証に記載された発明に基いて当業者が容易に発明をすることができたものであるとも認めることができない。
　請求項２、３に係る発明は、請求項１に係る発明を構成する事項を限定してなるものであるから、請求項１について記載したと同様の理由により、前記各特許異議申立人の甲号証に記載された発明であるとも、同甲号証に記載された発明に基いて当業者が容易に発明をすることができたものであるとも認めることができない。
　請求項４、５に係る発明は訂正により削除されたので、当該発明に対する申立人渡辺及び申立人キャノンの申立ては、その対象が存在しないものとなった。
　以上のとおりであるから、特許異議申立ての理由及び証拠によっては、請求項１〜３に係る発明の特許を取り消すことはできない。
　４．また、他に請求項１〜３に係る発明の特許を取り消すべき理由を発見しない。
　よって、結論のとおり決定する。　　
【異議決定日】
平成１２年１１月６日（２０００．１１．６）
【訂正の要旨】
（ａ）特許請求の範囲請求項１における「印字面平面形成手段」を「下記印字面平面形成手段」と訂正し、末尾に「印字面平面形成手段：複数のアングル部材、複数の高さ調整部材及び該高さ調整部材の間に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調節部材と接触することにより曲げられ、前記高さ調整部材間で前記スペーサーの距離分だけ被記録材又は／及びキャリヤーの全幅にわたって平面を形成するようになした装置。」を挿入する。
（ｂ）同請求項２における「特許とするインクジェットプリンター。」を「特許とする請求項１に記載のインクジェットプリンター。」と訂正する。
（ｃ）同請求項４、５を削除する。
（ｄ）発明の詳細な説明段落番号［０００６］における「印字面平面形成手段」を「下記印字面平面形成手段」と訂正し、末尾に「印字面平面形成手段：複数のアングル部材、複数の高さ調整部材及び該高さ調整部材の間に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調整部材と接触することにより曲げられ、前記高さ調整部材間で前期スペーサーの距離分だけ被記録材又は／及びキャリヤーの全幅にわたって平面を形成するようになした装置。」を挿入する。
（ｅ）同［０００７］における「特許とするインクジェットプリンター。」を「特許とする請求項１インクジェットプリンター。」と訂正する。
（ｆ）同［０００９］の「請求項４の発明は、・・・請求項２または３に記載のインクジェットプリンターである。」を「また、本発明は、・・・ことが好ましい。」と訂正する。
（ｇ）同［００１０］の「請求項５の発明は、・・・請求項１〜４のいずれかに記載のインクジェットプリンターである。」を「さらに、本発明は、・・・ことが好ましい。」と訂正する。
（ｈ）同［００１２］の「・・・ものであり、例えば図３に示すようなものである。」を「・・・ものであり、下記にに示すものである。
　印字面平面形成手段：複数のアングル部材、複数の高さ調整部材及び該高さ調整部材の間に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調整部材と接触することにより曲げられ、前記高さ調整部材間で前記スペーサーの距離分だけ被記録材又は／及びキャリヤーの全幅にわたって平面を形成するようになした装置。」と訂正する。
（５４）【発明の名称】
インクジェットプリンター
（５７）【特許請求の範囲】
　　【請求項１】　記録ヘッドから記録液滴を吐出飛翔させ、該記録ヘッドと対面する位置で搬送される被記録材に画像を記録するインクジェットプリンターにおいて、被記録材が布帛であり、前記記録ヘッドに対向する前記布帛の印字面を平面にする
下記
　印字面平面形成手段：
　複数のアングル部材、複数の高さ調整部材及び該高さ調整部材の間に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調整部材と接触することにより曲げられ、前記高さ調整部材間で前記スペーサーの距離分だけ被記録材又は／及びキャリヤーの全幅にわたって平面を形成するようになした装置。
　　【請求項２】　記録ヘッドから記録液滴を吐出飛翔させ、該記録ヘッドと対面する位置で搬送される被記録材に画像を記録するインクジェットプリンターにおいて、被記録材を該プリンター内で重ね合わせて搬送するキャリヤーを有し、該キャリヤーは被記録材が画像を記録された後に被記録材と分離されるか、又は同時に巻取られ、かつ反復使用するようになしたことを特徴とする
請求項１に記載の
　　【請求項３】　前記キャリヤーが被記録材の滑り防止処理が施されたフレキシブルでかつ寸法安定なフイルム、シート又はネットである請求項２に記載のインクジェットプリンター。
【発明の詳細な説明】
　　　【０００１】
　　　【発明の属する技術分野】
　本発明は、被記録材（受像体）の搬送性に優れたインクジェットプリンターに関し、さらに詳しくは、被記録材が布帛などの柔軟で腰のない材料である時に好適なインクジェットプリンターに関する。
　　　【０００２】
　　　【従来の技術】
　近年、インクジェットプリンター（ＩＪ）の展開はめざましく、ＩＪの特徴であるカラー化、広幅化の容易さと相俟って、広幅（８０ｃｍ以上）カラープリンターの分野では独壇場の様相を示している。
　受像体も多様化し、紙ベース、フイルムベースに加えて布ベースも加わってきた。しかし受像体の特性面から見ると、紙、フイルムと布とは俗に言う腰（剛性）が根本的に異なり前者は硬く、後者は柔らかい。
　しかるに、従来のプリンターは、紙ベースの受像体を念頭に置いて設計されているため受像体の搬送性という面では、紙ベース、フイルムベースの受像体は適用し易いが、布ベースは適用し難かった。やむなく、布の前処理を施し腰を強く（硬く）するか、紙と重ねる（場合によっては微粘着紙との張り合わせる）などの手法で対処するのが一般的であったが、前者では布の特徴である柔らかさを失い、後者は工程が煩雑という欠点を抱えていた。
　又、プリンターの広幅化に伴い、ロールのたわみを小さくすることが必要であり、このため使用するロール径が大きくなり、プリンター装置の大型化を招くという欠点を抱えていた。
　　　【０００３】
　インクジェットプリンターは、Ｘ方向に印字（記録）ヘッドが走行印字（記録）し、Ｙ方向に印字体（受像体）が送られて描画するのが一般的である。この場合、印字ヘッドと印字体との間隙を小さく且つ印字体の送りを安定維持することが必要である。特に昨今は描画速度のアップを目指して一回当たりの走行で描画距離を大きく採る方法が求められており、広幅、距離の大きな平面の安定維持が必要になってきた。
　又、印字体の多様化に伴い腰の無いテキスタイルの類が加わり、より一層これらの問題が顕在化してきた。
　　　【０００４】
　図１に示すような従来の単一の搬送ロールによる搬送方式では、無張力下で受像体を送り出す方式であり、紙、フイルムなどで腰のある場合は、送り精度はよいが、広幅のように距離が長い場合、印字面の平面を安定に維持することは困難であり、布帛のような腰のない受像体の場合には、送りを安定化させることすら困難である。
　図２に示すような直径の大きな搬送ロールを使用する方式によると、腰のない受像体の送り精度にかなり改善されるが、充分な精度は得られず、また、腰の強い厚手の受像体の場合は、搬送ロールに受像体をフィットさせるために、ロール径を大きくしなければならず、装置の大型化を招くという弊害が避けられない。
　　　【０００５】
　　　【発明が解決しようとする課題】
　本発明は、布帛などの柔軟で腰のない受像体（被記録材）の搬送性、即ち、搬送の寸法精度や印字（記録）面の平面性を向上させたインクジェットプリンターを提供し、さらには、受像体の広幅化に伴うプリンターの大型化を回避しようとするものである。
　　　【０００６】
　　　【課題を解決するための手段】
　即ち、本発明は、記録ヘッドから記録液滴を吐出飛翔させ、該記録ヘッドと対面する位置で搬送される被記録材に画像を記録するインクジェットプリンターにおいて、被記録材が布帛であり、前記記録ヘッドに対向する前記布帛の印字面を平面にする下記印字面平面形成手段を有することを特徴とするインクジェットプリンターである。
　
　印字面平面形成手段：
　複数のアングル部材、複数の高さ調整部材及び該高さ調整部材の間に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調整部材と接触することにより曲げられ、前記高さ調整部材間で前記スペーサーの距離分だけ被記録材又は／及びキャリヤーの全幅にわたって平面を形成するようになした装置。
　　　【０００７】
　請求項２の発明は、記録ヘッドから記録液滴を吐出飛翔させ、該記録ヘッドと対面する位置で搬送される被記録材に画像を記録するインクジェットプリンターにおいて、被記録材を該プリンター内で重ね合わせて搬送するキャリヤーを有し、該キャリヤーは被記録材が画像を記録された後に被記録材と分離されるか又は同じに巻取られ、かつ反復使用するようになしたことを特徴とする
請求項１
　　　【０００８】
　請求項３の発明は前記キャリヤーが被記録材の滑り防止処理が施されたフレキシブルでかつ寸法安定なフイルム、シート又はネットである請求項２に記載のインクジェットプリンターである。
　　　【０００９】
　
また、本
ことが好ましい。
　　　【００１０】
　
さらに、本
ことが好ましい。
　　　【００１１】
　　　【発明の実施の形態】
　本発明におけるキャリヤーは、受像体に重ね合わせて受像体の搬送が可能であり、フレキシブルで寸法安定性があり、張力下で伸縮性が少なく、反復使用に耐えるシート状のものであれば材質、厚みなど特に限定されるものではないが、例えばポリエステル製のフイルムや該フイルムの片面に微粘着剤をコーティングしたもの、ターポリンなどの樹脂積層布帛、ベルト、ネットなどが挙げられる。
受像体がフィルムの場合は、キャリヤーとの密着性を向上させるために、穴を有し通気性のあるキャリヤーが好ましい。
　キャリヤーは受像体が画像を印字された後は、受像体から分離されて、巻取られるが、通常、巻終えた後は短時間で巻戻されて反復使用される。また、受像体と重ね合わせたまま巻取ってもよい。
　キャリヤーの受像体と接する面は、受像体とキャリヤーとのずれが生じないように滑り防止加工や微粘着処理などが施されていることが好ましい。
　　　【００１２】
　本発明における印字面平面形成手段とは、インクジェット記録ヘッドに対向し、印字直前の受像体の印字面を少なくとも記録ヘッドの寸法に対応する長さ（印字距離）を受像体の全幅にわたって平面にするものであり、下記にに示すものである。
　
　印字面平面形成手段：
　複数のアングル部材、複数の高さ調整部材及び該高さ調整部材の問に設置されたスペーサーとを有し、被記録材又は／及びキャリヤーが前記アングル部材及び高さ調整部材とに接触しながら走行するようになした装置であり、前記被記録材又は／及びキャリヤーが、前記アングル部材及び前記高さ調整部材と接触することにより曲げられ、前記高さ調整部材間で前記スペーサーの距離分だけ被記録材又は／及びキャリヤーの全幅にわたって平面を形成するようになした装置。
　　　【００１３】
　図３は印字面形成装置の一例の縦断面を示す概略図であるが、Ｌ字型のアングル部材３ａ、高さ調整部材３ｂ及びスペーサー３ｃとからなり、かつ各部材は、少なくともキャリヤーと同じ幅の長さを有し、キャリヤーと受像体の腰の強さや印字距離に応じて、部材３ａの平面に対する部材３ｂの頂点までの差（高さ）を調整することにより、２つの部材３ｂの間の距離、即ち、少なくともスペーサ３ｃの距離分だけキャリヤーと受像体の全幅にわたって平面を形成するものである。
　　　【００１４】
　腰があり、剛性が高いキャリヤーほど曲げにくく、印字面近傍で急に曲げると、キャリヤーは湾曲してしまい、印字面付近は側面からみると円弧状を呈して直線にはならない。
　そこで本発明における印字面平面形成装置は、キャリヤーが印字面に至るまでの区間を特定の区間に区分けし、前記のキャリヤーが該区間で示す円弧（弦）の曲率が、段階的に印字面に近づく程小さくなるようにし、丁度印字面で直線にできるようになしたものである。
　　　【００１５】
　図３の場合、キャリヤーは、ローラーとの接触面とＬ字型アングル３ａとの接触面の間で曲げられ、さらに該Ｌ字型アングル３ａとの接触面と部材ｂとの接触面との間で曲げられ、それぞれキャリヤーの曲率が徐々に小さくなるように、ローラ面と部材３ａとの高さの差及び部材３ａと部材３ｂとの高さの差を調整している。
　　　【００１６】
　このように多段階に曲げるようにすることにより（即ち、大きな径のローラで曲げていることになり、）、低張力で曲げることができ、かつ低張力で搬送が可能になるである。また直径の大きなロールを使用しなくてもよいため、プリンター装置が大型化するのを防ぐことができる。
　　　【００１７】
　印字面平面形成装置のエッジの直線性の調整は、平面形成装置とステー間に押し引き装置を設けることにより容易に行うことができる。装置を形成する材料は、アルミニウムの引抜き加工板やアングルが軽量で好適であるが、これに限られるものではない。
　　　【００１８】
　プリンターを小型化するためには、搬送ロールをできるだけ小径ロールにすることが必要であるが、この場合、該ロールに加わる張力や重力によるたわみ防止対策が必要である。
　搬送ロールは平面形成装置を用いることによりキャリヤーに加える必要張力を低くすることができ、かつ該ロールは直線性の維持にも有用である。
　キャリヤー及び受像体の幅が広くなると、ロールの自重たわみが無視できなくなるので、部分的に小幅の受けロールを配設することが好ましい。
　受けロールはステーに支点を設けることにより装置の簡素化が達成できる。また、受けロールは一本方式でもよいが、小幅の複数本のロールを所定の間隔で並置する複数本方式の方が搬送ロールの直線性維持のためにより望ましい。
　　　【００１９】
　キャリヤーと受像体とを重ね合わせて搬送するための送り機構は、全面ニップ方式が好ましい。キャリヤー及び受像体の搬送ロールの駆動系はバックフラッシュの小さいシステムを用いることが好ましい。
　　　【００２０】
　図４に示すように、搬送ロール１、受けロール２、印字面平面形成装置３及びステー６を配設し、これらに加わる張力、重力による力をステーに集中させ、力のバランスを取ることにより、装置の安定化、小型化を達成することができる。
　　　【００２１】
　　　【実施例】
　以下、本発明を実施例により説明するが、本発明はこれに限定されるものではない。
　図４に示した各部材の位置関係で、下記の仕様のインクジェットプリンターを製作し、受像体としてポリエステル／綿（６５／３５）混のブロード布を用い、受像体の搬送精度、印字面の平面性、搬送安定性をテストした。なお、前記プリンターにおいて、キャリヤー系を設置せず、印字面平面形成装置のみを設置した場合についてもテストした。
　また、比較のために、市販のインクジェットプリンターのミマキエンジニヤリング社製のＪＶ−１３００及び武藤工業社製のＲＶ−１３００についてもテストした。
　　　【００２２】
　実施例のプリンターの仕様
　　　搬送ロール幅：１５５０ｍｍ
　　　搬送ロール直径：６０ｍｍ
　　　受けロール直径：３０ｍｍ
　　　受けロール幅：５０ｍｍ
　　　記録ヘッド：シャープ社製
　　　印字距離：２０ｍｍ
　　　印字面と記録ヘッド面との距離：１ｍｍ
　　　ステー：４０×８０ｍｍ
　　　送り駆動系：オリエンタルモーター社製ステッピングモー夕ー（ＰＫ５６６−ＮＡＣ）
　　　巻き出し系：オリエンタルモーター社製トルクメーター（２ＴＫ３ＣＧＮ−Ａ）及びギヤー減速機（２ＧＮ１２０Ｋ）
　　　巻き取り系：同上
　　　【００２３】
　使用したキャリヤーは、寸法安定性があり、張力下で伸縮の少なく、反復使用に耐えるものとして、片面にスチックスリップ性を示すアクリル系微粘着剤をコーティングしたポリエステルフイルムを用いた。
　テスト結果を表１に示す。
　　　【００２４】
　　　【表１】
　　　【００２５】
　表１から明らかなように、本発明のインクジェットプリンターを用いることにより柔軟な布帛でも、従来のプリンターに比べて搬送精度、搬送安定性があり、印字面の平面性も高く、安定した画像を布帛に印字することができた。印字面平面形成装置のみの場合でも、安定性にやや劣るが良好な印字性は確認できた。
　　　【００２６】
　　　【発明の効果】
　本発明の印字面平面形成装置を設置したインクジェットプリンターは、布帛などの腰のない受像体の場合でも記録ヘッドに対向する面が全幅にわたってたえず平面を維持されるので、印字性が良好で高品位の印字が可能であり、さらにキャリヤーを設置することにより、受像体の搬送精度を高く、かつ安定させることができ、特に布帛のインクジェットプリントに好適なプリンターを提供することができる。
【図面の簡単な説明】
　　　【図１】　従来の一般的な受像体の搬送方式の印字部と搬送ローラーとの位置関係を示す模式的概略図である。
　　　【図２】　直径の大きな搬送ロールを用いた搬送方式の印字部と搬送ローラーとの位置関係を示す概略図である。
　　　【図３】　インクジェットプリンターの印字面平面形成装置の一例の縦断面を示す概略図である。
　　　【図４】　インクジェットプリンターの一例の要部を示す模式的縦断面図である。
　　　【符号の説明】
　１：搬送ロール、２：受けロール、３：印字面平面形成装置、４：ニップロール、５：ガイドロール、６：ステー、７：キャリヤー、８：被記録材、３ａ：Ｌ字型アングル、３ｂ：高さ調整部材、３ｃ：スペーサー